(57)【要約】      （修正有）【課題】雨降りにブーツを履き歩くとブーツシャフト（胴筒）が汚れることが多い。特に未舗装の土の上を歩くとブーツシャフト（胴筒）に泥が付き付いた泥は容易に落とすことができない。水で洗うことにより容易に泥を落とすことを可能とする。【解決手段】ヒールを備えたアウトソール（本底）２とヒールカップ５とアッパー（甲革）４からなる靴本体からなり、着脱可能なブーツシャフト（胴筒）１は布製とすることで、ブーツシャフト（胴筒）が汚れた時は、ブーツシャフト（胴筒）を取り外すことで、ブーツシャフト（胴筒）を洗うことで容易に泥を落とすことができ繰り返し使用することができる。【選択図】図３
0003142584.tif 000002
【実用新案登録請求の範囲】
【請求項１】
ヒールを備えたアウトソール（本底）とヒールカップとアッパーからなる靴本体に着脱可能な布製のブーツシャフト（胴筒）を備えたことを特徴とするロングブーツ。
【請求項２】
脱着可能なブーツシャフト（胴筒）は、アウトソール（本底）の外周を覆い且つヒールカップが挿入される空孔を設けたことを特徴とする請求項1のロングブーツ。
【請求項３】
脱着可能なブーツシャフト（胴筒）はアウトソール（本底）に接触し雨の日に泥が靴内部に進入することを防ぐ泥除け構造であることを特徴とする請求項２のロングブーツ。
【請求項４】
脱着可能なブーツシャフト（胴筒）とアウトソール（本底）とを固定する弾性体の固定具を備えたことを特徴とする請求項３のロングブーツ。
【考案の詳細な説明】
【技術分野】
【０００１】
本考案は、アウトソール（本底）にブーツシャフト（胴筒）を容易に着脱できるロングブーツに関するものである。
【背景技術】
【０００２】
従来のブーツは、様々なデザイン及びブーツシャフト（胴筒）のサイズのものが市販されているが、素材は皮革からなるものであった。ブーツシャフト（胴筒）形状のブーツは、長期にわたり使用するとブーツシャフト（胴筒）の外部の汚れ、内部の汗等による汚れが生じ、悪臭が発生するのみでなく非衛生的な状態になり定期的に汚れを除去することが望ましい。
【０００３】
しかし、ブーツの素材は皮革からできていることから水で洗うと収縮、収縮変形、変色が生じ洗うことができないという欠点があった。
【０００４】
靴を長期使用した場合、ヒール及びアウトソール（本底）の磨耗が生じるが、ヒール及びアウトソール（本底）の修理交換方法に関する方法が提案されている。
【特許文献１】特開２００５−８７２５９０号公報
【特許文献２】特開２０００−１３９５０６号広報
【特許文献３】特開２００５−８７２５０号広報
【０００５】
何れの提案も、ヒール及びアウトソール（本底）の交換の方法であり、ブーツシャフト（胴筒）の汚れに対しての問題の解決にはならず、汚れたまま使用を余儀なくされていた。
【考案の開示】
【考案が解決しようとする課題】
【０００６】
解決しようとする問題点は、ブーツシャフト（胴筒）の汚れを洗うことにより取りの除くことが容易にできない点である。
【課題を解決するための手段】
【０００７】
本考案は、ブーツシャフト（胴筒）が汚れた時に、アウトソール（本底）より容易に取り除けることと、素材は布であることから洗うことで汚れを除去し、乾燥させることで繰り返し使用できることを最も主要な特徴とする。
【考案の効果】
【０００８】
本考案の布製のブーツシャフト（胴筒）は、ヒールを備えたアウトソール（本底）とヒールカップとアッパーからなる靴本体に、着脱可能な構造になっていることで、降雨時に使用しブーツシャフト（胴筒）が汚れたとしても、取り外し洗うことにより汚れを除去することができ、乾燥させることで劣化もなく繰り返ししようできるという利点がある。
【考案を実施するための最良の形態】
【０００９】
ヒールを備えたアウトソール（本底）とヒールカップとアッパー(甲革)からなる靴本体に布製のブーツシャフト（胴筒）を着脱することで最小の部品点数で、且つ低コストで実現した。
【実施例１】
【００１０】
図１は、本考案ロングブーツの１実施例の外観図であって、１〜５は、図２，図３と同様である。
【００１１】
ロングブーツは、アウトソール(本底)２とヒール３とアッパー(甲革)４とヒールカップ５が一体となった靴本体の周囲を布製のブーツシャフト（胴筒）の下部で覆う様に取り付けられている。
【００１２】
靴本体とブーツシャフト（胴筒）１の下部の固定は、例えば面ファスナーによる固定、ビスによる機械的固定等により、人が履いて歩いたときに靴本体と４ブーツシャフト（胴筒）１と脱落しない強度が得られる方法で良く、特定された方法に限られるものではない。
【００１３】
雨降り時に泥等でブーツシャフト（胴筒）１が汚れた時は、ブーツシャフト（胴筒）１を靴本体から取り外し、洗濯機で容易に洗うことができる。また、ブーツシャフト（胴筒）１の素材は布製であることから容易に乾燥させることができる。
【００１４】
乾燥させたブーツシャフト（胴筒）１を靴本体に取り付けることにより、汚れの取れたロングブーツを使用することができる。洗濯を繰り返し使用できることは言うまでもない。
【実施例２】
【００１５】
図２は、本考案ロングブーツの靴本体とブーツシャフト（胴筒）１を容易に着脱するための構造に関するものである。
【００１６】
ブーツシャフト（胴筒）１の底部をアウトソール(本底)２の大きさに合わせて袋状にし、ヒール３のアウトソール(本底)との取り付け部の大きさにブーツシャフト（胴筒）１の底部に空孔を設けたことを特徴とする。
【００１７】
靴本体のヒール３をブーツシャフト（胴筒）１の空孔に挿入するようにして靴本体にブーツシャフト（胴筒）１を取り付けることにより、面ファスナー等の機械的固定を必要とすることなく、靴本体とブーツシャフト（胴筒）１を確実に取り付けたことを特徴とする。
【実施例３】
【００１８】
図３の断面図の泥除け７は、雨降りの時に、ブーツシャフト（胴筒）１に限らずアウトソール(本底)に泥等の汚れが付き、またアウトソール(本底)を傷つける問題があることからアウトソール(本底)２上の保護用に取り付けたことを特徴とする。
【実施例４】
【００１９】
図３の断面図の弾性体の固定具６は、アウトソール(本底)２の周囲に凹状の溝を設け、ブーツシャフト（胴筒）１のアウトソール(本底)２を覆った部分に弾性体の固定具６により固定することにより確実に固定したことを特徴とする。
【産業上の利用可能性】
【００２０】
靴本体にブーツシャフト（胴筒）を容易に着脱することができ、雨降り時に汚れたとしても取り外し、布製であることから洗うことが可能で劣化もなく繰り返し使用できる。部品点数も少なく誰にでも使用できる。
【図面の簡単な説明】
【００２１】
【図１】靴本体にブーツシャフト（胴筒）の装着を示した説明図である。（実施例１）
【図２】ブーツシャフト（胴筒）をアウトソール（本底）の外周を覆い且つヒールカップが挿入される空孔を示した説明図である。（実施例２）
【図３】アウトソール（本底）に泥除及び固定する弾性体の固定具を示した説明図である。（実施例３，実施例４）
【符号の説明】
【００２２】
１    ブーツシャフト（胴筒）
２    アウトソール(本底)
３    ヒール
４    アッパー(甲革)
５    ヒールカップ
６    弾性体の固定具
７    泥除け
【図１】
0003142584.tif 000003
【図２】
0003142584.tif 000004
【図３】
0003142584.tif 000005